(57)【要約】      （修正有）【課題】電源ソケットから脱落して破損することと盗難を防止できるＬＥＤランプを提供する。【解決手段】ＬＥＤランプ３０は振動等で電源ソケット２０から脱落しても、電源ソケット２０からワイヤ３１で吊り下げられるので、床に落下して破損するのを防止でき、ワイヤ３１の一端を放熱体１１にビス３２で固着し、他端を解けないように電源ソケット２０のコード２１に結び付けたので、ＬＥＤランプ３０を電源ソケット２０から取り外しても、金属性のワイヤ３１を切断しないかぎり持ち去ることはできず、ＬＥＤランプ３０の盗難を防止できる。【選択図】図３
2013206756.tif 000002
【特許請求の範囲】
【請求項１】
ＬＥＤチップを実装したモジュール基板を金属性の放熱体の一端に固定し、放熱体の他端側に口金を取り付け、ＬＥＤチップに電力を供給する点灯回路を放熱体の内側に配置し、点灯回路と口金及びモジュール基板を電気的に接続したＬＥＤランプであって、
前記放熱体の外周部に放熱用フィンを設けてリング溝を形成し、該溝にワイヤの一端側を巻き付け、ワイヤの他端を放熱体から外部へ延ばしたことを特徴とするＬＥＤランプ。
【請求項２】
前記ワイヤの一端にリング状の節を形成し、
該節にワイヤを通してループを形成し、
ループをリング溝に巻き付けるとともに、節をリング溝に圧入したことを特徴とする請求項１に記載のＬＥＤランプ。
【請求項３】
ＬＥＤチップを実装したモジュール基板を金属性の放熱体の一端に固定し、放熱体の他端側に口金を取り付け、ＬＥＤチップに電力を供給する点灯回路を放熱体の内側に配置し、点灯回路と口金及びモジュール基板を電気的に接続したＬＥＤランプであって、
ワイヤの一端を前記放熱体に固着し、ワイヤの他端を放熱体から外部へ延ばしたことを特徴とするＬＥＤランプ。
【請求項４】
前記放熱体にネジ穴を形成し、
前記ワイヤの一端にリング状の金具を連結し、
ビスを金具に挿通してネジ穴に固着したことを特徴とする請求項３に記載のＬＥＤランプ。
【請求項５】
前記放熱体の外周部に放熱用フィンを設けて溝を形成し、
溝内部にネジ穴を形成し、
ビスをネジ穴にねじ込むとともに溝内部に埋め込み、該ビスで前記ワイヤの一端を溝に固着したことを特徴とする請求項３に記載のＬＥＤランプ。
【請求項６】
前記放熱体の外周部に放熱用フィンを設けて溝を形成し、
溝の内壁面にネジ溝を形成し、
ビスをネジ溝にねじ込むとともに、ビスの先端部でワイヤの一端をネジ溝に圧接して固着したことを特徴とする請求項３に記載のＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプはＬＥＤチップを実装したモジュール基板を熱伝導性と放熱性に優れたアルミニウムなどの金属性放熱体の一端に固定し、モジュール基板を覆うように透明又は半透明のグローブを放熱体に取付け、放熱体の他端側に口金を取り付け、ＬＥＤチップに電力を供給する点灯回路を放熱体の内側に配置し、点灯回路と口金及びモジュール基板を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
この種のＬＥＤランプは白熱電球に比べて寿命が大幅に長いので、一旦、天井や壁面に設けられている電源ソケットに装着すると、その後、長期間にわたり新品のＬＥＤランプと交換する必要がない。
【０００５】
天井や壁面に固設された電源ソケットに装着したＬＥＤランプには、例えば人が歩くときの振動が床から壁面や天井を介して伝わる。ＬＥＤランプは口金を電源ソケットにねじ込んで装着されるが、たとえＬＥＤランプに加わる振動が微弱なものであっても、長期間、ＬＥＤランプを電源ソケットに装着したままの状態が継続すると、その間に繰り返し振動が加わるので、ねじ込んだ口金が徐々に緩み、ついには電源ソケットからＬＥＤランプが脱落し、床に落下して破損するおそれがある。
【０００６】
また、ＬＥＤランプは口金を電源ソケットにねじ込むだけで装着されるので、電源ソケットから簡単に取り外すことができる。そのため、白熱電球に比べて高価なＬＥＤランプは盗難のおそれがある。
【０００７】
本発明はかかる問題点に鑑み、電源ソケットから脱落して破損するのを防止できるＬＥＤランプを提供することを目的とする。
また、盗難を防止できるＬＥＤランプを提供することを目的とする。
【課題を解決するための手段】
【０００８】
請求項１に記載の発明は、ＬＥＤチップを実装したモジュール基板を金属性の放熱体の一端に固定し、放熱体の他端側に口金を取り付け、ＬＥＤチップに電力を供給する点灯回路を放熱体の内側に配置し、点灯回路と口金及びモジュール基板を電気的に接続したＬＥＤランプであって、
前記放熱体の外周部に放熱用フィンを設けてリング溝を形成し、該溝にワイヤの一端側を巻き付け、ワイヤの他端を放熱体から外部へ延ばしたことを特徴とする。
【０００９】
請求項２に記載の発明は、請求項１に記載のＬＥＤランプにおいて、前記ワイヤの一端にリング状の節を形成し、
該節にワイヤを通してループを形成し、
ループをリング溝に巻き付けるとともに、節をリング溝に圧入したことを特徴とする。
【００１０】
請求項３に記載の発明は、ＬＥＤチップを実装したモジュール基板を金属性の放熱体の一端に固定し、放熱体の他端側に口金を取り付け、ＬＥＤチップに電力を供給する点灯回路を放熱体の内側に配置し、点灯回路と口金及びモジュール基板を電気的に接続したＬＥＤランプであって、
ワイヤの一端を前記放熱体に固着し、ワイヤの他端を放熱体から外部へ延ばしたことを特徴とする。
【００１１】
請求項４に記載の発明は、請求項３に記載のＬＥＤランプにおいて、前記放熱体にネジ穴を形成し、
前記ワイヤの一端にリング状の金具を連結し、
ビスを金具に挿通してネジ穴に固着したことを特徴とする。
【００１２】
請求項５に記載の発明は、請求項３に記載のＬＥＤランプにおいて、前記放熱体の外周部に放熱用フィンを設けて溝を形成し、
溝内部にネジ穴を形成し、
ビスをネジ穴にねじ込むとともに溝内部に埋め込み、該ビスで前記ワイヤの一端を溝に固着したことを特徴とする。
【００１３】
請求項６に記載の発明は、請求項３に記載のＬＥＤランプにおいて、前記放熱体の外周部に放熱用フィンを設けて溝を形成し、
溝の内壁面にネジ溝を形成し、
ビスをネジ溝にねじ込むとともに、ビスの先端部でワイヤの一端をネジ溝に圧接して固着したことを特徴とする。
【発明の効果】
【００１４】
請求項１に記載の発明に係るＬＥＤランプは、放熱体から外部へ延ばしたワイヤの端部を、例えばＬＥＤランプの口金が装着される電源ソケットに結び付けて使用される。
請求項１に記載の発明によれば、振動等でＬＥＤランプが電源ソケットから脱落しても、電源ソケットからワイヤで吊り下げられるので、床に落下して破損するのを防止できる。
【００１５】
請求項２に記載の発明によれば、ワイヤの一端に節を形成して、この節をリング溝に圧入するので、リング溝に巻き付けたループが緩まなくなり、ワイヤが放熱体から外れるのを防止できる。
【００１６】
請求項３に記載の発明に係るＬＥＤランプは、放熱体から外部へ延ばしたワイヤの端部を、例えばＬＥＤランプの口金が装着される電源ソケットに解けないように結び付けたり、或いは天井に固着して使用される。
請求項３に記載の発明によれば、振動等でＬＥＤランプが電源ソケットから脱落しても、電源ソケットや天井からワイヤで吊り下げられるので、床に落下して破損するのを防止できる。
また、ワイヤの一端を放熱体に固着し、他端を解けないように電源ソケットに結び付けたり、天井に固着するので、ＬＥＤランプを電源ソケットから取り外しても、ワイヤを切断しないかぎり持ち去ることはできず、ＬＥＤランプの盗難を防止できる。
【００１７】
請求項４に記載の発明によれば、簡単な作業でワイヤの一端を放熱体に強固に固定できるので、より一層効果的にＬＥＤランプの落下防止と盗難を防止できる。
【００１８】
請求項５に記載の発明によれば、ビスを溝に埋め込むので、ビスを隠すことができ、ＬＥＤランプの外観が損なわれない。
【００１９】
請求項６に記載の発明によれば、溝の内壁面にネジ溝を形成するので、溝をネジ穴として利用でき、溝にワイヤの一端を強固に固定できる。
【図面の簡単な説明】
【００２０】
【図１】本発明の第１実施例に係るＬＥＤランプを示す断面図である。
【図２】第１実施例に係るＬＥＤランプのリング溝を示す拡大断面図である。
【図３】本発明の第２実施例に係るＬＥＤランプを示す断面図である。
【図４】本発明の第３実施例に係るＬＥＤランプを示す断面図である。
【図５】本発明の第３実施例に係るＬＥＤランプの放熱体のリング溝とビスを示す部分拡大断面図である。
【図６】本発明の第４実施例に係るＬＥＤランプを示す断面図である。
【実施例１】
【００２１】
以下に本発明を図面に基づき説明するに、図１には本発明の第１実施例に係るＬＥＤランプ１０が示されている。当該ＬＥＤランプ１０は中空構造を有するアルミニウム製の放熱体１１、ＬＥＤチップ１２を実装したモジュール基板１３、半透明のガラス製または樹脂製のドーム形グローブ１４、口金１５及びＬＥＤチップ１２に電力を供給する点灯回路１６、導光柱１７及び樹脂製若しくはゴム製のワイヤ１８を備えている。
【００２２】
放熱体１１は逆円錐台形の外観を有し、外周部には表面積を増加して放熱効果を高めるため複数本の放熱用フィン１１ａが形成されるとともに、上下二本の放熱用フィン１１ａによってリング溝１１ｂが区画形成されている。放熱体１１の一端面には、モジュール基板１３が固定されている。
【００２３】
モジュール基板１３に導光柱１７が立設され、固定されている。導光柱１７の基端部には凹部１７ａが形成され、該凹部１７ａがＬＥＤチップ１２に被せられている。導光柱１７の先端部には反射面１７ｂが形成されている。ＬＥＤチップ１２から放射された光は導光柱１７の内部を通り、反射面１７ｂで反射して周囲に拡散される。
【００２４】
放熱体１１の内部には、点灯回路１６が内蔵され、モジュール基板１３と点灯回路１６リード線１９で接続されている。放熱体１１の他端には口金１５が装着され、点灯回路１６と口金１５がリード線１９で接続されている。
【００２５】
放熱体１１の一端面にはモジュール基板１３を取り囲むようにリング溝１１ｃが形成されている。このリング溝１１ｃにグローブ１４の開口端部が嵌合し、接着剤によって放熱体１１に固着されている。このグローブ１４はモジュール基板１３を覆うように放熱体１１に取り付けられている。
【００２６】
ワイヤ１８の一端側が放熱体１１に巻き付けられ、放熱体１１の外部へ延びるワイヤ１８の他端が天井から電源ソケット２０を吊り下げるコード２１に連結されている。
【００２７】
ワイヤ１８の一端と他端にはリング状の節１８ａ，１８ｂが形成され、節１８ａ，１８ｂにワイヤ１８を通すことによりワイヤ１８の両端にループ１８ｃ，１８ｄが形成されている。一端のループ１８ｃは放熱体１１のリング溝１１ｂに巻き付けて、締め付けられ、図２に拡大して示すように、節１８ａがリング溝１１ｂに圧入されている。ワイヤ１８の他端のループ１８ｄには電源ソケット２０のコード２１が挿通され、コード２１に連結されている。
【００２８】
第１実施例に係るＬＥＤランプ１０の構造は以上の通りであって、口金１５を電源ソケット２０にねじ込んでＬＥＤランプ１０を装着する。
本実施例に係るＬＥＤランプ１０によれば、振動等でＬＥＤランプ１０が電源ソケット２０から脱落しても、電源ソケット２０のコード２１からワイヤ１８で吊り下げられるので、床に落下して破損するのを防止できる。
【００２９】
ワイヤ１８の一端に節１８ａを形成して、この節１８ａを放熱体１１のリング溝１１ｂに圧入したので、リング溝１１ｂに巻き付けたループ１８ｃが緩まなくなり、ワイヤ１８が放熱体１１から外れるのを確実に防止できる。
【実施例２】
【００３０】
本発明の第２実施例に係るＬＥＤランプ３０を図３に示す。当該ＬＥＤランプ３０は金属製のワイヤ３１を備え、放熱体１１の外周部に形成されているリング溝１１ｂの内部に一個のネジ穴１１ｄが形成されている。ワイヤ３１の一端がビス３２に巻き付けられ、このビス３２をネジ穴１１ｄにねじ込んで、ワイヤ３１の一端がリング溝１１ｂに固着されている。ビス３２はリング溝１１ｂから露出しないように、リング溝１１ｂに埋め込まれている。ワイヤ３１の他端にはカシメ金具３１ｂでループ３１ｃが形成され、電源ソケット２０のコード２１がこのループ３１ｃに挿通されている。
なお、本実施例に係るＬＥＤランプ３０の他の構造は第１実施例に係るＬＥＤランプ１０と同じであるので、同一の構成要素に同一の符号を付して説明を省略する。
【００３１】
第２実施例に係るＬＥＤランプ３０は第１実施例に係るＬＥＤランプ１０と同様に振動等で電源ソケット２０から脱落しても、電源ソケット２０からワイヤ３１で吊り下げられるので、床に落下して破損するのを防止できる。
また、ワイヤ３１の一端を放熱体１１にビス３２で固着し、他端を解けないように電源ソケット２０のコード２１に結び付けたので、ＬＥＤランプ３０を電源ソケット２０から取り外しても、金属性のワイヤ３１を切断しないかぎり持ち去ることはできず、ＬＥＤランプ３０の盗難を防止できる。
さらにまた、ビス３２をリング溝１１ｂに埋め込むので、ビス３２を隠すことができ、ＬＥＤランプ３０の外観が損なわれない。
【実施例３】
【００３２】
本発明の第３実施例に係るＬＥＤランプ３５を図４に示す。当該ＬＥＤランプ３５の複数本のリング溝１１ｂのうち一本のリング溝１１ｂの内壁面に、図５に拡大して図示するように、ネジ溝１１ｅが形成されている。ワイヤ３１の一端がネジ溝１１ｅを形成したリング溝１１ｂに挿入されている。ワイヤ３１の一端はネジ溝１１ｅにねじ込んだビスの先端部でリング溝の底面に圧接され、リング溝１１ｂに固着されている。
なお、本実施例に係るＬＥＤランプ３５の他の構造は第２実施例に係るＬＥＤランプ３０と同じであるので、同一の構成要素に同一の符号を付して説明を省略する。
【００３３】
第３実施例に係るＬＥＤランプ３５によれば、リング溝１１ｂの内壁面にネジ溝１１ｅを形成したので、リング溝１１ｂをネジ穴として利用でき、リング溝１１ｂにワイヤ３１を強固に固定できる。
【００３４】
本発明の第４実施例に係るＬＥＤランプ４０を図６に示す。当該ＬＥＤランプ４０は樹脂製ハウジング４１と、熱伝導性と放熱性に優れたアルミニウム等の金属材料から成る第１放熱体４２と、第２放熱体４３と、ＬＥＤチップ４４を実装したモジュール基板４５と、ＬＥＤチップ４４に電力を供給する点灯回路４６と、国際規格に則った形状、寸法を有する口金４７と、ミラー４８及びカバーガラス４９を備えている。
【００３５】
ハウジング４１は筒部４１ａとカップ形状部４１ｂから成り、カップ形状部４１ｂの底部に第１放熱体４２が固定され、第１放熱体４２の内側に点灯回路４６が配置されている。カップ形状部４１ｂの開口端外周部に第２放熱体４３が固定されている。また、カップ形状部４１ｂの内部にミラー４８が固定され、ミラー４８を覆うようにカバーガラス４９が第２放熱体４３に固定されている。ハウジング４１の筒部４１ａの端部に口金４７が固着されている。口金４７と点灯回路４６、及びモジュール基板４５と点灯回路４６がリード線５０で接続されている。第２放熱体４３の外周部にネジ穴４３ａが形成され、ワイヤ３１の一端に取り付けたラグ端子３１ａがビス３２でネジ穴４３ａに固着されている。
【００３６】
第４実施例に係るＬＥＤランプ４０の構造は以上の通りであって、第２実施例に係るＬＥＤランプ３０と同様に、ワイヤ３１を電源ソケット２０のコード２１に連結したり、天井に固着することにより、ＬＥＤランプ３０の落下や盗難を防止できる。
【００３７】
なお、上述した第１〜第４実施例に係るＬＥＤランプの放熱体１１にはグローブ１４の円周方向と平行なリング溝１１ｂが形成されているが、導光柱１７の長手方向と平行に縦方向に延びる縦溝を形成することも可能である。
【符号の説明】
【００３８】
１０，３０，３５，４０…ＬＥＤランプ
１１，４２，４３…放熱体
１１ａ…放熱用フィン
１１ｂ…リング溝
１１ｄ，４３ａ…ネジ穴
１１ｅ…ネジ溝
１２，４４…ＬＥＤチップ
１３，４５…モジュール基板
１４…グローブ
１５，４７…口金
１６，４６…点灯回路
１８，３１…ワイヤ
１８ａ…節
１８ｃ，１８ｄ…ループ
１９，５０…リード線
２０…電源ソケット
３１ａ…ラグ端子
３２…ビス
【図１】
2013206756.tif 000003
【図２】
2013206756.tif 000004
【図３】
2013206756.tif 000005
【図４】
2013206756.tif 000006
【図５】
2013206756.tif 000007
【図６】
2013206756.tif 000008